(57)【要約】  【課題】用紙処理装置が作動中に電源が切断されて、用紙処理装置内に用紙が残留した場合に、人手によって残留用紙を除去する手間を解消する。  【解決手段】用紙処理装置内で用紙の送りや詰まりを検出するセンサの状態を記憶する不揮発性メモリを備え、電源投入時に不揮発性メモリに保存されているセンサ状態データから、電源切断時の用紙処理装置の状態が正常か用紙残留か紙詰まりかを判断し、用紙残留状態のときは用紙排出処理を実行し、紙詰まり状態のときはエラーメッセージを表示する制御手段を備える。用紙処理装置が作動中に電源が切断された場合に、次の通電時に用紙処理装置内の残留用紙が自動的に排出され、人手によって残留用紙を除去する手間が不要になる。【選択図】図3
2008044686.tif 000002
【特許請求の範囲】
【請求項１】
複写機から供給される用紙に対してパンチ処理或いはパンチ処理とリングバインダ装着処理などの後処理を行う用紙処理装置であって、用紙経路の諸所に用紙を検知する複数のセンサを配置し、前記複数のセンサの検知信号により処理工程の制御及び紙詰まり検出を行う用紙処理装置において、
電源切断時における前記センサの状態を記憶する不揮発性メモリを備え、電源投入時に不揮発性メモリに保存されているセンサ状態データから、電源切断時の用紙処理装置の状態が正常か用紙残留か紙詰まりかを判断し、前記状態が用紙残留状態のときは用紙排出処理を実行し、紙詰まり状態のときはエラーメッセージを表示する制御手段を備えたことを特徴とする用紙処理装置。
【発明の詳細な説明】
【技術分野】
【０００１】
この発明は、複写機から排出される用紙に対してバインド処理やステープリング処理を行う用紙処理装置に関するものであり、特に、不慮の電源遮断時における用紙除去の手間を解消した用紙処理装置に関するものである。
【背景技術】
【０００２】
複写機に連結されて用紙の後処理を行う用紙処理装置には、ステープルによる綴じ処理を行うものやパンチ孔の穿孔処理を行うものなど、種々の仕様のものが知られている（特許文献１、２等）。また、複写機から排出される印刷物にパンチ処理した後に、一冊分の印刷物にリングバインダを装着して連続製本する後処理装置の提案もある（特許文献３）。
【０００３】
複写機や用紙処理装置は、一般に用紙経路の諸所にセンサを配置し、これらのセンサに基づいて、処理工程のシーケンス制御やエラー検出を行うように構成されており、センサのオンオフタイミング、或いはオンやオフの継続時間などから正常動作か異常発生かを制御部が判断する。用紙処理装置が稼働中に紙詰まりが生じた場合は、異常を示すセンサの番号から紙詰まり発生箇所を特定し、機構部の動作を停止するとともに表示部に紙詰まり発生箇所と紙詰まりメッセージが表示される。紙詰まりメッセージが表示された場合は、用紙処理装置のサービス用ドアを開けて詰まった紙を除去し、その後にサービス用ドアを閉めれば、制御部が障害回復を検知して表示部にスタート可能のメッセージが表示され、作業の再開が可能になる。
【特許文献１】特開2000-185869号公報
【特許文献２】特許第3705761号公報
【特許文献３】特開2005-138549号公報
【発明の開示】
【発明が解決しようとする課題】
【０００４】
用紙処理装置は、電源投入時に制御部が先ず各センサの状態を読込み、各センサが初期状態を示していることを確認してからスタンバイ状態となるが、突発的な停電や誤って電源プラグが引抜かれたりして稼働中の用紙処理装置が停止してしまい、用紙処理装置内部に用紙が残ってしまうことが起こりうる。このように、用紙処理装置内部に用紙があるときに電源が落ちた場合は、次の電源投入時にセンサによって用紙処理装置内部の用紙が検出されて、表示部に紙詰まり発生箇所と紙詰まりメッセージが表示され、内部の用紙を除去しなければならない。即ち、紙詰まりではなく、単に用紙が内部の用紙経路中に停止している場合であっても、紙詰まりの場合と同様に用紙を除去しなければならず、手間がかかる。
【０００５】
そこで、用紙処理装置内部に用紙がある状態で電源が切断された場合に、次の通電時に残留用紙を除去する手間を解消するために解決すべき技術的課題が生じてくるのであり、本発明は上記課題を解決することを目的とする。
【課題を解決するための手段】
【０００６】
この発明は、上記目的を達成するために提案するものであり、複写機から供給される用紙に対してパンチ処理或いはパンチ処理とリングバインダ装着処理などの後処理を行う用紙処理装置であって、用紙経路の諸所に用紙を検知する複数のセンサを配置し、前記複数のセンサの検知信号により処理工程の制御及び紙詰まり検出を行う用紙処理装置において、電源切断時における前記センサの状態を記憶する不揮発性メモリを備え、電源投入時に不揮発性メモリに保存されているセンサ状態データから、電源切断時の用紙処理装置の状態が正常か用紙残留か紙詰まりかを判断し、前記状態が用紙残留状態のときは用紙排出処理を実行し、紙詰まり状態のときはエラーメッセージを表示する制御手段を備えたことを特徴とする用紙処理装置を提供するものである。
【発明の効果】
【０００７】
本発明の用紙処理装置は、用紙処理装置内の用紙経路で用紙を検知するセンサの電源切断時における状態を記憶する不揮発性メモリを備え、電源投入時に不揮発性メモリに保存されているセンサ状態データを読込んで、紙詰まりではない用紙残留状態のときは用紙排出処理を実行する。したがって、用紙処理装置が作動中に電源が切断された場合に、次の通電時に用紙処理装置内の残留用紙が自動的に排出され、人手によって残留用紙を除去する手間が不要となって利便性が向上する。
【発明を実施するための最良の形態】
【０００８】
この発明は、複写機から供給される用紙に対してパンチ処理或いはパンチ処理とリングバインダ装着処理などの後処理を行う用紙処理装置であって、用紙経路の諸所に用紙を検知する複数のセンサを配置し、前記複数のセンサの検知信号により処理工程の制御及び紙詰まり検出を行う用紙処理装置において、電源切断時における前記センサの状態を記憶する不揮発性メモリを備え、電源投入時に不揮発性メモリに保存されているセンサ状態データから、電源切断時の用紙処理装置の状態が正常か用紙残留か紙詰まりかを判断し、前記状態が用紙残留状態のときは用紙排出処理を実行し、紙詰まり状態のときはエラーメッセージを表示する制御手段を備えることにより、用紙処理装置内部に用紙がある状態で電源が切断された場合に、次の通電時に残留用紙を除去する手間を解消するという目的を達成した。
【実施例１】
【０００９】
図１は、用紙処理装置の一例として、パンチ処理及びリングバインダ装着処理を行う用紙処理装置1の概要を示している。用紙処理装置1の機械的構成は、本願出願人が先に提案している用紙処理装置（特許出願2005-216562号）と同一であり、複写機21に連結されて複写機21が排出する用紙に対して上記の処理を行うもので、用紙処理装置の下流にオプションとしてステープル処理装置などのフィニッシャ31やソーティングトレイユニットなどを連結することができる。
【００１０】
用紙処理装置1内の上部に水平に配置された搬送部2は、直列配置した第１乃至第４の送りローラ装置3，4，5，6によって構成されており、動作モードとしてパススルーモードを選択した場合、複写機から送り込まれた用紙は四つの送りローラ装置3，4，5，6を通過して後段のオプションフィニッシャ31へ排出される。
【００１１】
バインド処理モードを選択した場合、用紙は第４送りローラ装置6で停止した後に、第３送りローラ装置5と第４送りローラ装置6の中間に配置されている方向切換えフラップ（図示せず）が開くとともに第４送りローラ装置6が逆転駆動され、用紙は第４送りローラ装置6から前方（図において右）斜め下に向けて配置されているスイッチバック搬送部7へ送られる。送りローラ（図示せず）を備えたスイッチバック搬送部7の先にはパンチ部8が配置されていて、用紙に対してパンチ処理を行い、用紙は送りローラによってバインダ部9内の紙揃えテーブル10へ送られる。
【００１２】
バインダ部9は、バインダカートリッジ11とバインダ装着機構12を備えており、紙揃えテーブル10へ一冊分のパンチ処理済用紙が貯まると、バインダ装着機構12がバインダカートリッジ11から一本のリングバインダを取出し、リングバインダを保持した上端部が後方（図において左）へ回動して紙揃えテーブル10上の用紙へリングバインダを装着する。リングバインダを装着された用紙は排出部13へ落下し、排出部13のベルトコンベヤ14，15により後方上部へ向けて送られ、スタッカ16内へ落下して積載される。
【００１３】
搬送部2に配置した用紙センサS101，S102，S103と、スイッチバック搬送部7及びパンチ部8の用紙センサS201，S202と、バインダ部9の用紙センサS301，紙厚センサS302、バインダカートリッジ11のリングサイズセンサS303やバインダ残量センサS304、排出部13の用紙センサS401，S402等全てのセンサは、図２に示すようにそれぞれ用紙処理装置の制御部17へ接続されている。
【００１４】
制御部17は複写機21の制御部と通信し、複写機21の操作パネルで設定された作業モードにしたがって搬送部2、スイッチバック搬送部7、パンチ部8、バインダ部9、排出部13の制御を行い、パススルーモード或いはバインド処理モードでの処理を実行する。処理実行にあたっては、上記各センサS101〜S402の信号に基づいて、送り、パンチ処理、バインド処理などの各工程のシーケンスを制御し、センサのオンオフのタイミング、オン又はオフの継続時間などでセンサ信号が異常を示す場合は、複写機21の制御部へエラーコードを送信するとともに、用紙処理装置1の動作を停止する。複写機21の制御部は、エラーコード、エラー発生箇所、エラーの内容（紙詰まり、パンチ部やバインダ部のジャミング、消耗品不足など）及び対処方法を操作パネルの表示部（図示せず）に表示する。
【００１５】
制御部17に接続されたフラッシュメモリ18は、制御部17が電源オフを検知した時点の各センサS101〜S402の状態から導出されるエラーステータスデータを書込むもので、そのデータは次の電源投入時まで保存される。
【００１６】
正常に綴じ処理工程を終了して各センサS101〜S402が初期状態を示しているときに電源をオフした時は、各機構部が初期状態にあることを示すデータが保存される。一方、センサS101〜S302、S401〜S402により紙詰まりを検知して停止している状態で電源がオフした時は、その時点における紙詰まりを示すデータが保存され、次の電源投入時にはそのデータから紙詰まり継続及び紙詰まり箇所などが認識される。また、用紙処理装置1が正常動作中で、内部に用紙があるときに停電或いは誤操作などによって電源が切断された場合は、その時点における各センサS101〜S302、S401〜S402の状態データ、つまり紙詰まりではないが用紙が残留していることを示すデータが保存される。
【００１７】
次に、電源投入時の残留用紙診断ルーチンを図３にしたがって説明する。電源が投入されると（ステップ101）、制御部はフラッシュメモリ18に保存されている各センサS101〜S402のエラーステータスを読込む（ステップ102）。各センサS101〜S302、S401〜S402の状態がオフ或いは用紙テーブル上の用紙厚ゼロなどのように、用紙処理装置内部に用紙が無い正常な状態を示していれば、ステップ103からステップ106へ進んで各部の初期化を行ってスタンバイ状態となり、複写機の起動を待機する。
【００１８】
ステップ102において、センサS101〜S302、S401〜S402の一つ又は複数が紙詰まりを示している場合は、ステップ104へ進んで表示部に紙詰まり発生箇所と紙詰まりメッセージを表示するとともに、機構部は起動停止状態に維持される。この場合は、用紙処理装置のサービス用ドアを開けて詰まった紙を除去し、サービス用ドアを閉めれば、表示部にスタート可能のメッセージが表示され、作業の再開が可能になる。
【００１９】
ステップ102において、センサS101〜S302、S401〜S402の一つ又は複数が「用紙あり」の状態で、且つ紙詰まりではない場合（停電或いは誤操作などによって処理中に電源がオフした場合）は、ステップ103からステップ105へ進み、制御部が電源オフ時の処理モードにしたがって用紙を排出する。
【００２０】
つまり、パススルーモードによる動作中に電源がオフして搬送部2に用紙が残留している場合は、その用紙を後段のオプションフィニッシャ31へ排出する。また、バインド処理モードによる動作中に電源がオフして、搬送部2或いはスイッチバック搬送部7などに用紙が残留している場合は、その用紙をパンチ部8、バインダ部9、排出部13を通じてスタッカ16内へ排出し、いずれの場合も用紙排出後にスタンバイ状態（ステップ106）になる。
【００２１】
このように、用紙処理装置が作動中に電源が切断されて、用紙処理装置内に用紙が残留した場合、次の通電時に残留用紙が自動的に排出されるので、人手によって残留用紙を除去する手間が不要になる。
【００２２】
尚、この発明は上記の実施形態に限定するものではなく、この発明の技術的範囲内において種々の改変が可能である。上記実施形態においては、パンチ及びバインダ装着処理を行う用紙処理装置の例を述べたが、パンチ処理機やステープル処理機などにも本発明の構成を適用することができ、この発明がそれらの改変されたものに及ぶことは当然である。
【図面の簡単な説明】
【００２３】
【図１】用紙処理装置の構成の一例を示す解説図。
【図２】用紙処理装置の電気回路ブロック図。
【図３】本発明の用紙処理装置の残留用紙診断ルーチンのフローチャート。
【符号の説明】
【００２４】
1      用紙処理装置
2      搬送部
3      送りローラ装置
4      送りローラ装置
5      送りローラ装置
6      送りローラ装置
7      スイッチバック搬送部
8      パンチ部
9      バインダ部
10     紙揃えテーブル
11     バインダカートリッジ
12     バインダ装着機構
13     排出部
14     ベルトコンベヤ
15     ベルトコンベヤ
16     スタッカ
17     制御部
18     フラッシュメモリ
21     複写機
31     フィニッシャ
S101〜S402    センサ
【図１】
2008044686.tif 000003
【図２】
2008044686.tif 000004
【図３】
2008044686.tif 000005